(57)【特許請求の範囲】
【請求項１】
一次破砕装置によってある程度の大きさ以下に予め切断された適宜被破砕物を、その送給量や、送給タイミング等をコントロールすると共に、その送給姿勢を揃えて二次破砕装置に供給するための送給装置であって、上方に投入口が設けられ下方に送出口が設けられているケーシングと、このケーシング内に駆動回転自在に且つ互換可能に装着される一対の送給ドラムと、この一対の送給ドラム夫々に駆動回転力を与える適宜駆動手段とを備え、送給ドラムは、略円筒状のドラム基体と、このドラム基体の外周表面に突設される複数の送給突起とを備え、一対の送給ドラムは、所定間隔隔てた状態で平行に且つ水平に配されると共に、相互の間にある空間部分に於いて、送給突起が下方がわから上方がわに向って移動するような向きに夫々回転して、送給ドラムとケーシングの湾曲内壁面との間の空間部分を被破砕物が上方から下方に向って移動するように形成され、複数の送給突起は、送給ドラムの円周方向に沿って略等間隔に配され、且つ送給ドラムの回転中心線に対して平行な方向に沿って略等間隔に配されて、被破砕物が複数の送給突起の間に収まるように構成し、送給ドラムは、略円筒状に形成されるドラム基体と、略丸棒状に形成されると共に、ドラム基体の外周表面に略放射方向に突設される複数の送給突起と、ドラム基体の一端内部に設けられる略多角形筒状の軸係合凹部と、ドラム基体の他端内部に設けられる略円筒状の軸受部とを備え、ケーシングの一方の側壁には、軸受部を介して伝達軸を回転自在に装着すると共に、伝達軸の先端部分がケーシング内に僅かに突出するように形成し、この伝達軸は、その先端部分が送給ドラムの軸係合凹部内に挿脱自在に嵌入可能で、その駆動回転力を送給ドラムに伝達できるように形成され、ケーシングの他方の側壁には、比較的大きな開口部を設けると共に、この開口部を開閉可能な開閉側板を設け、この開閉側板には、送給ドラムの軸受部内に挿入可能で、送給ドラムの他端部を回転自在に支持可能な略短円柱状の支承軸を突設し、開閉側板は、開口部を外がわから覆えるような形状を呈し、ケーシングに揺動自在に装着されると共に、ケーシングの開口部周縁部分にネジ止め手段等によって固定できるよう形成され、支承軸は、適宜ネジ止め手段を介して開閉側板に着脱自在に固定すると共に、その背面部分に操作ハンドルを固着して構成したことを特徴とする破砕システムに於ける被破砕物の送給装置。
【発明の詳細な説明】
【０００１】
【発明の属する技術分野】
本発明は、主に、適宜木材（例えば、間伐材や、剪定材や、廃材や、その他）等や、その他の適宜被破砕物を破砕できるようにした破砕システムに於いて、一次破砕によってある程度の大きさ以下に予め切断された多数の被破砕物を、二次破砕装置によって小さく破砕する際に、被破砕物の二次破砕装置への送給量や送給タイミング等を確実に且つ簡単にコントロールでき、しかも、被破砕物夫々の送給姿勢を確実に且つ簡単に揃えて送給でき、更に、各種被破砕物の寸法等に適した送給ドラムを簡単に互換装着できるように工夫した破砕システムに於ける被破砕物の送給装置に関するものである。
【０００２】
【従来の技術】
従来、この種の破砕システムにあっては、例えば、適宜被破砕物を一次破砕によってある程度の大きさ以下に予め切断し、この被破砕物を二次破砕装置によって小さく破砕するようにしている。そして、被破砕物の二次破砕装置での破砕は、例えば、多数の被破砕物をホッパー内に投入しておき、このホッパーから被破砕物を重力を利用して二次破砕装置に供給するようにしたものが多く提供されている。
【０００３】
【発明が解決しようとする課題】
ところが、前述の如き被破砕物の送給手段にあっては、ホッパーから被破砕物を二次破砕装置に供給するとき、二次破砕装置での破砕処理能力を超えた被破砕物が供給されてしまう難点があった。そのため、二次破砕装置での破砕処理能率が低下したり、二次破砕装置の回転切断刃等の損傷を招く等の問題点があった。
【０００４】
また、被破砕物が二次破砕装置に供給されるときに、被破砕物の供給姿勢が一定しておらず、回転切断刃等に対して切断し難い姿勢の侭供給される等の難点があった。
加えて、複数の被破砕物が二次破砕装置の上方でブリッジ状となってしまい、被破砕物を二次破砕装置にスムーズに供給できない等の難点もあった。
【０００５】
【課題を解決するための手段】
そこで、本発明は、前述の如き難点等を解消すると共に、被破砕物の二次破砕装置への送給量や、送給タイミング等を確実に且つ簡単にコントロールでき、また、被破砕物夫々の送給姿勢を確実に且つ簡単に揃えて送給でき、加えて、各種被破砕物の寸法等に対応させて送給ドラムＡを互換装着できると共に、その互換装着作業が簡単に行え、しかも、取扱いが容易で、構成簡素で、耐久性に優れ、量産に適し、低廉で、経済的な破砕システムに於ける被破砕物の送給装置を提供できるようにすべく創出されたものである。
【０００６】
しかして、本発明の送給装置にあっては、一次破砕装置によってある程度の大きさ以下に予め切断された適宜被破砕物を、その送給量や、送給タイミング等をコントロールすると共に、その送給姿勢を揃えて二次破砕装置に供給するための送給装置であって、上方に投入口が設けられ下方に送出口が設けられているケーシングＢと、このケーシングＢ内に駆動回転自在に且つ互換可能に装着される一対の送給ドラムＡと、この一対の送給ドラムＡ夫々に駆動回転力を与える適宜駆動手段Ｃとを備え、送給ドラムＡは、略円筒状のドラム基体１と、このドラム基体１の外周表面に突設される複数の送給突起２とを備え、一対の送給ドラムＡは、所定間隔隔てた状態で平行に且つ水平に配されると共に、相互の間にある空間部分に於いて、送給突起２が下方がわから上方がわに向って移動するような向きに夫々回転して、送給ドラムＡとケーシングＢの湾曲内壁面との間の空間部分を被破砕物が上方から下方に向って移動するように形成され、複数の送給突起２は、送給ドラムＡの円周方向に沿って略等間隔に配され、且つ送給ドラムＡの回転中心線に対して平行な方向に沿って略等間隔に配されて、被破砕物が複数の送給突起２の間に収まるように構成し、送給ドラムＡは、略円筒状に形成されるドラム基体１と、略丸棒状に形成されると共に、ドラム基体１の外周表面に略放射方向に突設される複数の送給突起２と、ドラム基体１の一端内部に設けられる略多角形筒状の軸係合凹部３と、ドラム基体１の他端内部に設けられる略円筒状の軸受部４とを備え、ケーシングＢの一方の側壁には、軸受部５を介して伝達軸６を回転自在に装着すると共に、伝達軸６の先端部分がケーシングＢ内に僅かに突出するように形成し、この伝達軸６は、その先端部分が送給ドラムＡの軸係合凹部３内に挿脱自在に嵌入可能で、その駆動回転力を送給ドラムＡに伝達できるように形成され、ケーシングＢの他方の側壁には、比較的大きな開口部９を設けると共に、この開口部９を開閉可能な開閉側板８を設け、この開閉側板８には、送給ドラムＡの軸受部４内に挿入可能で、送給ドラムＡの他端部を回転自在に支持可能な略短円柱状の支承軸７を突設し、開閉側板８は、開口部９を外がわから覆えるような形状を呈し、ケーシングＢに揺動自在に装着されると共に、ケーシングＢの開口部９周縁部分にネジ止め手段等によって固定できるよう形成され、支承軸７は、適宜ネジ止め手段を介して開閉側板８に着脱自在に固定すると共に、その背面部分に操作ハンドルを固着して構成する手段を採用した。
【０００７】
【発明の実施の形態】
以下、本発明を図示例に基づいて説明すると、次の通りである。
本発明は、例えば、適宜木材（例えば、間伐材や、剪定材や、廃材や、その他）等やその他の適宜被破砕物を、適宜破砕装置で小さく破砕できるようにした破砕システムに於いて、一次破砕装置によって所望の大きさ以下に予め切断された被破砕物を、その送給量や、送給タイミング等をコントロールできるようにして二次破砕装置に送給し、二次破砕装置での破砕作業が能率良く行えるようにした送給装置である。しかも、被破砕物夫々の送給姿勢が揃えられるようにして送給でき、また、被破砕物の寸法等に対応した送給も可能となるように構成したものである。
【０００８】
そして、この送給装置は、ホッパー１０による投入口が上方に設けられ、且つコンベヤ１６（或いは、二次破砕装置）の上方に位置する送出口が下方に設けられている略矩形枠状のケーシングＢと、このケーシングＢ内に駆動回転自在に且つ互換可能に装着される一対の略平行な送給ドラムＡと、この一対の送給ドラムＡ夫々に駆動回転力を与える適宜駆動手段Ｃとを備えたものである。
【０００９】
更に、送給ドラムＡは、適宜金属板材等によって略円筒状に形成されるドラム基体１と、適宜金属丸棒状に形成されると共に、ドラム基体１の外周表面に略放射方向に突設される複数の送給突起２と、ドラム基体１の一端内部に設けられる略多角形筒状の軸係合凹部３と、ドラム基体１の他端内部に設けられる略円筒状の軸受部４とを備えた構成となっており、この送給ドラムＡの駆動回転によって、ケーシングＢ内の適宜被破砕物を投入口がわから送出口がわに向って送給できるように形成されている。
ところで、所定間隔隔てた状態で平行に且つ水平に配される一対の送給ドラムＡは、相互の間にある空間部分に於いて、送給突起２が下方がわから上方がわに向って移動するような向きに夫々回転し、送給ドラムＡとケーシングＢの湾曲内壁面との間の空間部分を被破砕物が上方から下方に向って移動するように構成されている。
【００１０】
しかも、複数の送給突起２は、送給ドラムＡの円周方向に沿って略等間隔に（例えば、円周方向に於いて６０度間隔に）配され、且つ送給ドラムＡの回転中心線に対して平行な方向に沿って略等間隔に配されている。すなわち、被破砕物が複数の送給突起２の間に収まるように形成され、被破砕物の送給量や、送給タイミング等が送給ドラムＡの回転速度等によって自在にコントロールできるように構成されている。しかも、ある程度の長さを有する被破砕物にあっては、送給ドラムＡの回転中心線に対して平行な方向に沿うように、複数の送給突起２の間に収まって、被破砕物夫々の送給姿勢を揃えられるように構成してある。
【００１１】
加えて、送給ドラムＡは、ドラム基体１の寸法（外径）や、送給突起２の形状や、寸法や、数や、配設位置等が異なるものを予め複数用意しておき、被破砕物の寸法等に対応するものを互換装着することで、スムーズ且つ確実な被破砕物の送給が可能となるように構成されている。
【００１２】
前記軸係合凹部３は、後述する伝達軸６が挿脱自在で且つ伝達軸６に合致して、伝達軸６の駆動回転力が送給ドラムＡ（ドラム基体１）に確実に伝達できるような略多角形筒状を呈しており、伝達軸６より僅かに長く形成されている。
【００１３】
前記軸受部４は、後述する支承軸７が挿脱自在で且つ支承軸７を回転自在に支持できるよう略短円筒状を呈しており、支承軸７を安定的に支持できるように形成されている。
【００１４】
一方、前記ケーシングＢは、適宜架台１５によって支持され、例えば、二次破砕装置に被破砕物を供給するコンベヤ１６や、或いは二次破砕装置の上方に配置されるもので、その一方の側壁には、軸受部５を介して一対の伝達軸６が回転自在に支えられていると共に、伝達軸６の先端部分がケーシングＢ内に僅かに突出するように形成されており、この伝達軸６の先端部分に送給ドラムＡの軸係合凹部３を嵌合できるように形成されている。
【００１５】
また、ケーシングＢの他方の側壁には、比較的大きな適宜開口部９を設けると共に、この開口部９を開閉可能な開閉側板８を設け、しかも、この開閉側板８には、送給ドラムＡの軸受部４内に挿入可能で、送給ドラムＡの他端部を回転自在に支持可能な略短円柱状の支承軸７を突設してある。
【００１６】
前記開閉側板８は、開口部９を外がわから覆えるような形状を呈し、例えば、適宜ヒンジ手段等を介してケーシングＢに揺動自在に装着され、ケーシングＢの開口部９周縁部分にネジ止め手段等によって、固定できるよう構成されている。すなわち、ネジ止め手段を取外すことで、開口部９を開閉できるようになる。
【００１７】
前記支承軸７は、適宜ネジ止め手段を介して開閉側板８に着脱自在に固定されており、その背面部分には、操作ハンドルが固着されて、支承軸７自身の着脱が行い易くなるように形成してある。すなわち、送給ドラムＡを互換装着する際に、支承軸７を開閉側板８から取外し、開閉側板８を揺動させて、開口部９を開口状態としてから、開口部９がわに送給ドラムＡを引出せるように構成されている。ところで、支承軸７は、適宜潤滑材が供給できるように形成されており、送給ドラムＡの軸受部４との摩擦を低減できるように形成されている。
【００１８】
駆動手段Ｃは、例えば、適宜駆動モーターの回転力を適宜歯車を介して一対の送給ドラムＡに伝達でき、一対の送給ドラムＡを同期回転せしめられるように構成されている。しかも、駆動モーターの回転速度を制御可能で、一対の送給ドラムＡの回転速度を自由にコントロールできるよう構成されている。
【００１９】
尚、送給装置の具体的構成、形状、寸法、材質、送給ドラムＡの具体的構成、形状、寸法、材質、ドラム基体１の具体的構成、形状、寸法、材質、送給突起２の具体的構成、形状、寸法、数、配設位置、軸係合凹部３の具体的構成、形状、寸法、配設位置、軸受部４の具体的構成、形状、寸法、配設位置、ケーシングＢの具体的構成、形状、寸法、材質、軸受部５の具体的構成、形状、寸法、配設位置、伝達軸６の具体的構成、形状、寸法、材質、配設位置、支承軸７の具体的構成、形状、寸法、材質、配設位置、開閉側板８の具体的構成、形状、寸法、材質、配設位置、数、開口部９の具体的構成、形状、寸法、配設位置、数、ホッパー１０の具体的構成、形状、寸法、材質、配設位置、駆動手段Ｃの具体的構成、形状、寸法、配設位置、架台１５の具体的構成、形状、寸法、材質、コンベヤ１６の具体的構成、配設位置等は図示例等に限定されることなく適宜自由に設定、変更できるものである。
【００２０】
【発明の効果】
従って、本発明の送給装置は、一次破砕装置によってある程度の大きさ以下に予め切断された適宜被破砕物を、その送給量や、送給タイミング等をコントロールすると共に、その送給姿勢を揃えて二次破砕装置に供給するための送給装置であって、上方に投入口が設けられ下方に送出口が設けられているケーシングＢと、このケーシングＢ内に駆動回転自在に且つ互換可能に装着される一対の送給ドラムＡと、この一対の送給ドラムＡ夫々に駆動回転力を与える適宜駆動手段Ｃとを備え、送給ドラムＡは、略円筒状のドラム基体１と、このドラム基体１の外周表面に突設される複数の送給突起２とを備え、一対の送給ドラムＡは、所定間隔隔てた状態で平行に且つ水平に配されると共に、相互の間にある空間部分に於いて、送給突起２が下方がわから上方がわに向って移動するような向きに夫々回転して、送給ドラムＡとケーシングＢの湾曲内壁面との間の空間部分を被破砕物が上方から下方に向って移動するように形成され、複数の送給突起２は、送給ドラムＡの円周方向に沿って略等間隔に配され、且つ送給ドラムＡの回転中心線に対して平行な方向に沿って略等間隔に配されて、被破砕物が複数の送給突起２の間に収まるように構成し、送給ドラムＡは、略円筒状に形成されるドラム基体１と、略丸棒状に形成されると共に、ドラム基体１の外周表面に略放射方向に突設される複数の送給突起２と、ドラム基体１の一端内部に設けられる略多角形筒状の軸係合凹部３と、ドラム基体１の他端内部に設けられる略円筒状の軸受部４とを備え、ケーシングＢの一方の側壁には、軸受部５を介して伝達軸６を回転自在に装着すると共に、伝達軸６の先端部分がケーシングＢ内に僅かに突出するように形成し、この伝達軸６は、その先端部分が送給ドラムＡの軸係合凹部３内に挿脱自在に嵌入可能で、その駆動回転力を送給ドラムＡに伝達できるように形成され、ケーシングＢの他方の側壁には、比較的大きな開口部９を設けると共に、この開口部９を開閉可能な開閉側板８を設け、この開閉側板８には、送給ドラムＡの軸受部４内に挿入可能で、送給ドラムＡの他端部を回転自在に支持可能な略短円柱状の支承軸７を突設し、開閉側板８は、開口部９を外がわから覆えるような形状を呈し、ケーシングＢに揺動自在に装着されると共に、ケーシングＢの開口部９周縁部分にネジ止め手段等によって固定できるよう形成され、支承軸７は、適宜ネジ止め手段を介して開閉側板８に着脱自在に固定すると共に、その背面部分に操作ハンドルを固着して構成したので、送給ドラムＡの回転速度の調節等によって被破砕物の二次破砕装置への送給量や、送給タイミング等を確実に且つ簡単にコントロールでき、二次破砕装置での破砕処理能力に応じた被破砕物の送給が行え、二次破砕装置で連続的な破砕が可能となり、被破砕物を二次破砕装置等にスムーズに供給でき、破砕処理能率を高めることができるようになる。ひいては、二次破砕装置の回転切断刃等の損傷等を防止できるようになる。しかも、取扱いが容易で、構成簡素で、耐久性に優れ、量産に適し、低廉で、経済的で、この種の破砕システムに於いて最適な送給装置となる。
【００２１】
更に、一対の略平行な送給ドラムＡは、ケーシングＢ内に駆動回転自在に且つ互換可能に装着され、被破砕物の寸法等に対応させて送給ドラムＡを互換装着でき、各種被破砕物に応じたスムーズな送給が可能となる。
【００２２】
特に、一対の送給ドラムＡは、所定間隔隔てた状態で平行に且つ水平に配されると共に、相互の間にある空間部分に於いて、送給突起２が下方がわから上方がわに向って移動するような向きに夫々回転して、送給ドラムＡとケーシングＢの湾曲内壁面との間の空間部分を被破砕物が上方から下方に向って移動するように形成され、複数の送給突起２は、送給ドラムＡの円周方向に沿って略等間隔に配され、且つ送給ドラムＡの回転中心線に対して平行な方向に沿って略等間隔に配されて、被破砕物が複数の送給突起２の間に収まるように構成したので、送給ドラムＡの駆動回転によって、ケーシングＢ内の適宜被破砕物を投入口がわから送出口がわに向って送給できると共に、被破砕物夫々の送給姿勢を確実に且つ簡単に揃えて送給できるようになる。
すなわち、被破砕物の送給量や、送給タイミング等が送給ドラムＡの回転速度等によって自在にコントロールでき、しかも、ある程度の長さを有する被破砕物は、送給ドラムＡの回転中心線に対して平行な方向に沿うように、複数の送給突起２の間に収まるようになり、被破砕物夫々の送給姿勢が揃えられるようになる。
【００２３】
加えて、送給ドラムＡは、ドラム基体１の寸法（外径）や、送給突起２の形状や、寸法や、数や、配設位置等が異なるものを予め複数用意しておき、被破砕物の寸法等に対応するものを互換装着することで、スムーズ且つ確実な被破砕物の送給が可能となる。
【００２４】
また、送給ドラムＡは、略円筒状に形成されるドラム基体１と、略丸棒状に形成されると共に、ドラム基体１の外周表面に略放射方向に突設される複数の送給突起２と、ドラム基体１の一端内部に設けられる略多角形筒状の軸係合凹部３と、ドラム基体１の他端内部に設けられる略円筒状の軸受部４とを備え、ケーシングＢの一方の側壁には、軸受部５を介して伝達軸６を回転自在に装着すると共に、伝達軸６の先端部分がケーシングＢ内に僅かに突出するように形成し、この伝達軸６は、その先端部分が送給ドラムＡの軸係合凹部３内に挿脱自在に嵌入可能で、その駆動回転力を送給ドラムＡに伝達できるように形成され、ケーシングＢの他方の側壁には、比較的大きな開口部９を設けると共に、この開口部９を開閉可能な開閉側板８を設け、この開閉側板８には、送給ドラムＡの軸受部４内に挿入可能で、送給ドラムＡの他端部を回転自在に支持可能な略短円柱状の支承軸７を突設し、開閉側板８は、開口部９を外がわから覆えるような形状を呈し、ケーシングＢに揺動自在に装着されると共に、ケーシングＢの開口部９周縁部分にネジ止め手段等によって固定できるよう形成され、支承軸７は、適宜ネジ止め手段を介して開閉側板８に着脱自在に固定すると共に、その背面部分に操作ハンドルを固着して構成したので、比較的簡単な構成によって、送給ドラムＡの互換装着が簡単に且つ確実に行えるようになる。すなわち、ネジ止め手段等を取外すことで、開口部９を開閉できるようになり、送給ドラムＡの互換装着作業が開口部９を利用して行い易いものとなる。
しかも、伝達軸６の駆動回転力を送給ドラムＡ（ドラム基体１）に確実に伝達できるようになり、軸受部４により、支承軸７を安定的に支持できるようになる。
【００２５】
特に、支承軸７は、適宜ネジ止め手段を介して開閉側板８に着脱自在に固定すると共に、その背面部分に操作ハンドルを固着して構成したので、操作ハンドルにより、支承軸７自身の着脱が行い易くなる。すなわち、送給ドラムＡを互換装着する際に、支承軸７を開閉側板８から取外し、開閉側板８を揺動させて、開口部９を開口状態としてから、開口部９がわに送給ドラムＡを引出せるようになる。
【図面の簡単な説明】
【図１】  本発明の送給装置を例示する縦断正面図である。
【図２】  本発明の送給装置を例示する一部切欠平面図である。
【図３】  本発明の送給装置を例示する側面図である。
【図４】  本発明の送給装置を例示する部分縦断面図である。
【図５】  本発明の送給装置を例示する部分縦断面図である。
【符号の説明】
Ａ      送給ドラム
１      ドラム基体                    ２      送給突起
３      軸係合凹部                    ４      軸受部
Ｂ      ケーシング
５      軸受部                        ６      伝達軸
７      支承軸                        ８      開閉側板
９      開口部                        １０    ホッパー
Ｃ      駆動手段
１５    架台                          １６    コンベヤ
【図１】
0003870278.tif 000002
【図２】
0003870278.tif 000003
【図３】
0003870278.tif 000004
【図４】
0003870278.tif 000005
【図５】
0003870278.tif 000006